【事件の表示】
　特許第２８９６８８７号「マット留め装置」の請求項１〜１４に係る特許に対する特許異議の申立てについて、次のとおり決定する。
【結　論】
　特許第２８９６８８７号の請求項１〜１４に係る特許を取り消す。
【理　由】
Ｉ．手続きの経緯
　特許第２８９６８８７号の請求項１〜１４に係る発明についての出願は、平成９年１０月３０日に特許出願され、平成１１年３月１２日にその発明について特許権の設定登録がされ、その後、その特許について、異議申立人岡林茂により特許異議の申立てがなされ、取り消し理由通知がなされ、その指定期間内である平成１２年６月１６日に訂正請求がなされた後、平成１２年１０月１７日に訂正拒絶理由を兼用する取り消し理由を通知し、期間を指定して意見書を提出する機会を与えたが、特許権者からは何らの応答もないものである。
　
II．訂正の適否についての判断
　
＜訂正の内容＞　
１．訂正事項ａ
　特許請求の範囲の請求項１を、「床敷物が貫通して伸びる穴を有し、床パネルに敷かれている、床マットを自動車床敷物に固定するための装置であって、床敷物の穴の上に位置する開口部を有する、床敷物の上部に位置する土台板と、各々が頂部、中間部分および底部を有し、前記頂部が前記開口部近くで土台板に取り付けられ床敷物の穴を貫通して下向きに伸びており、前記中間部分が互いに離れられるように中間部分で折り畳み可能な２つの脚部材と、前記２つの脚部材の底部を接続する接続セクションと、少なくとも１つのプロングを有し、前記土台板の方向に上向きに伸びることで、土台板を床パネルの方向に押すことによって前記脚部材が折り畳まれるとき、土台板が接続セクションの方向に動かされ、少なくとも一部が土台板の開口部と敷物の穴を貫通して伸びるようになる支柱と、脚部材を折り畳まれた状態に維持し、前記支柱の前記少なくとも一部を土台板の開口部を貫通して伸びた状態に保持するための手段と、床マットの穴を貫通して設置されたアイレット・アッセンブリと、前記脚部材が前記折り畳まれた状態において前記支柱を前記アイレット・アッセンブリと取り外しできるようにかみ合わせるための手段とを含む装置。」と訂正する。
２．訂正事項ｂ
　特許請求の範囲の請求項３を、「請求項１に記載の装置において、支柱を前記アイレット・アッセンブリと取り外しできるようにかみ合わせるための手段が、前記支柱の少なくとも１つのプロングに設置されたフランジ付き頭部部分を含み、前記支柱が前記アイレット・アッセンブリを貫通して挿入され、前記頭部部分が前記アイレット・アッセンブリの上に伸びて支柱をアイレット・アッセンブリに固定する装置。」と訂正する。
３．訂正事項ｃ
　明細書第００１２段落を、「少なくとも１つ、好適には２つのプロングが接続セクションに設置され、上向きに土台板の方向に伸びる。脚部材が折り畳まれると、支柱は土台板の開口部と敷物の穴を貫通して伸びる。本装置はまた、支柱が土台板の開口部を貫通して伸びたままでいるように、脚部材を折り畳まれた状態に維持するための手段を有する。本装置はまた、床マットの穴に貫通して配設されたアイレット・アッセンブリと、床マットが敷物に固定されるように、前記脚部材が前記折り畳まれた状態において支柱をアイレット・アッセンブリに取り外しできるようにかみ合わせるための手段を有する。」と訂正する。
４．訂正事項ｄ
　明細書第００１６段落を、「支柱をアイレット・アッセンブリと取り外しできるようにかみ合わせるための手段は、好適には支柱の各プロングに設置された拡大された頭部部分を含む。支柱はアイレット・アッセンブリを貫通して挿入され、外向きに伸びるフランジがアイレット・アッセンブリの上に伸びて支柱をアイレット・アッセンブリに固定する。」と訂正する。
　
＜訂正の適否についての判断＞
１．独立特許要件について
(１) 訂正明細書の請求項１〜１４に係る発明
　訂正明細書の請求項１〜１４に係る発明（以下、「本件訂正発明」という。）は、その特許請求の範囲の請求項１〜１４に記載された事項により特定される次のとおりのものである。
　【請求項１】床敷物が貫通して伸びる穴を有し、床パネルに敷かれている、床マットを自動車床敷物に固定するための装置であって、床敷物の穴の上に位置する開口部を有する、床敷物の上部に位置する土台板と、各々が頂部、中間部分および底部を有し、前記頂部が前記開口部近くで土台板に取り付けられ床敷物の穴を貫通して下向きに伸びており、前記中間部分が互いに離れられるように中間部分で折り畳み可能な２つの脚部材と、前記２つの脚部材の底部を接続する接続セクションと、少なくとも１つのプロングを有し、前記土台板の方向に上向きに伸びることで、土台板を床パネルの方向に押すことによって前記脚部材が折り畳まれるとき、土台板が接続セクションの方向に動かされ、少なくとも一部が土台板の開口部と敷物の穴を貫通して伸びるようになる支柱と、脚部材を折り畳まれた状態に維持し、前記支柱の前記少なくとも一部を土台板の開口部を貫通して伸びた状態に保持するための手段と、床マットの穴を貫通して設置されたアイレット・アッセンブリと、前記脚部材が前記折り畳まれた状態において前記支柱を前記アイレット・アッセンブリと取り外しできるようにかみ合わせるための手段とを含む装置。
　【請求項２】請求項１に記載の装置において、脚部材を折り畳まれた状態に維持するための手段が、前記支柱の下部セクション周囲の環状フランジと、前記開口部の周囲に位置する環状溝とを含み、脚部材が折り畳まれるとき前記フランジが前記溝とかみ合って脚部材を折り畳まれた状態に維持する装置。
　【請求項３】請求項１に記載の装置において、支柱を前記アイレット・アッセンブリと取り外しできるようにかみ合わせるための手段が、前記支柱の少なくとも１つのプロングに設置されたフランジ付き頭部部分を含み、前記支柱が前記アイレット・アッセンブリを貫通して挿入され、前記頭部部分が前記アイレット・アッセンブリの上に伸びて支柱をアイレット・アッセンブリに固定する装置。
　【請求項４】請求項３に記載の装置において、アイレット・アッセンブリが上部と下部とを含み、前記上部が下部と一緒にかみ合うことのできる装置。
　【請求項５】請求項４に記載の装置において、アイレット・アッセンブリの上部が上部フランジに取り付けられた上部環状本体を含み、前記下部が下部フランジに取り付けられた下部環状本体を含み、前記上部と下部とに前記上部と下部とを一緒に固定するための手段をさらに含み、前記上部と下部との環状本体の１つが床マットの穴の中で前記上部と下部の環状本体のもう１つの中にスライドし、前記上部フランジが床マットの上面に対して置かれ、前記下部フランジが床マットの下面に向かって置かれる装置。
　【請求項６】請求項５に記載の装置において、前記上部と下部とを一緒に固定するための手段が、上部と下部との本体の１つに配置された少なくとも１つの水平スロットと、上部と下部との本体のもう１つに配置された少なくとも１つの水平掛け金とを含み、上部と下部とが一緒に押されるとき水平掛け金が水平スロットと結合する装置。
　【請求項７】請求項１に記載の装置において、装置がナイロン製である装置。
　【請求項８】請求項１に記載の装置において、脚部材の中間部分と、脚部材と接続セクションとの間と、脚部材と土台板との間とに配置された蝶番をさらに含み、前記蝶番が脚部材の折り畳みを促進する装置。
　【請求項９】請求項８に記載の装置において、蝶番が脚部材と一体となって形成される装置。
　【請求項１０】請求項２に記載の装置において、支柱が支柱を貫通し環状フランジと交差する水平穴を有し、支柱が土台板の開口部を貫通して挿入されるとき該穴のために支柱とフランジとを圧迫することができる装置。
　【請求項１１】請求項２に記載の装置において、支柱の環状フランジの下側に位置する張り出しをさらに含み、張り出しによって支柱がある点を超えて穴に挿入されるのが防止される装置。
　【請求項１２】請求項４に記載の装置において、上部が貫通する穴を有する平坦な板を含み、下部が下部フランジに接続された環状本体を含み、環状本体が、装置の外周に配置された、板を固定するための複数のスナップ脚を有する装置。
　【請求項１３】請求項３に記載の装置において、支柱が、アイレット・アッセンブリに挿入されるとき一緒にたわむ２つのプロングを有する装置。
　【請求項１４】請求項４に記載の装置において、アイレット・アッセンブリがアイレット・アッセンブリの内周に沿って配置された複数の放射状フィンをさらに含み、前記フィンによって前記支柱を前記アイレット・アッセンブリに挿入し、前記支柱を前記アイレット・アッセンブリに固定することができる装置。
 　
(２) 引用刊行物に記載された発明
刊行物１：特開平８−１５９１１８号公報
刊行物２：実公平４−２９１２３号公報
刊行物３：実願平５−６４８３１号（実開平７−３３７３７号）のＣＤ−ＲＯＭ 
刊行物４：実願昭５２−１５５５５４号（実開昭５４−８３９０４号）のマイクロフィルム
刊行物５：実公昭６３−５５４８号公報
（刊行物１）
　上記刊行物１には、明細書及び図面の記載からみて、次のとおりの発明（以下、「引用発明１」、「引用発明２」、「引用発明３」、「引用発明８」、「引用発明９」、「引用発明１３」という。）が記載されているものと認められる。
　【引用発明１】シート状部材が貫通して伸びる取付穴を有し、自動車シート状部材を車体等の他のパネルに固定するための保持具であって、シート状部材の取付穴の下に位置する開口部を有する、シート状部材の下部に位置するフランジと、各々が頂部、ヒンジおよび底部を有し、前記頂部が前記開口部近くでフランジに取り付けられシート状部材の取付穴を貫通して上向きに伸びており、前記ヒンジが互いに離れられるようにヒンジで折り畳み可能な２つの保持片と、前記２つの保持片の底部を接続する頭部と、１つの錨脚係止部を有し、前記フランジの方向に下向きに伸びることで、頭部を車体等の他のパネルの方向に押すことによって前記保持片が折り畳まれるとき、頭部がフランジの方向に動かされ、少なくとも一部がフランジの開口部とシート状部材の取付穴を貫通して伸びるようになる案内部材と、保持片を折り畳まれた状態に維持し、前記案内部材の前記少なくとも一部をフランジの開口部を貫通して伸びた状態に保持するための一対の係止爪及び一対の係止肩と、前記保持片が前記折り畳まれた状態において前記案内部材を前記車体等の他のパネルの取付穴と取り外しできるようにかみ合わせるための錨脚係止部の錨脚部分とを含む保持具。
　【引用発明２】引用発明１の保持具において、保持片を折り畳まれた状態に維持するための一対の係止爪及び一対の係止肩が、前記案内部材の中央部分の周方向両側に位置する一対の係止爪と、前記開口部の周囲方向両側に対応して位置する一対の係止肩とを含み、保持片が折り畳まれるとき前記一対の係止爪が前記一対の係止肩とかみ合って保持片を折り畳まれた状態に維持する保持具。
　【引用発明３】引用発明１の保持具において、案内部材を前記車体等の他のパネルと取り外しできるようにかみ合わせるための錨脚係止部が、前記案内部材の錨脚係止部の両側に設置された錨脚部分を含み、前記案内部材が前記車体等の他のパネルの取付穴を貫通して挿入され、前記錨脚係止部の錨脚部分が前記車体等の他のパネルの下に伸びて案内部材を車体等の他のパネルに固定する保持具。
　【引用発明８】引用発明１の保持具において、保持片のヒンジと、保持片と頭部との間と、保持片とフランジとの間とに配置されたヒンジをさらに含み、前記ヒンジが保持片の折り畳みを促進する保持具。
　【引用発明９】引用発明８の保持具において、ヒンジが保持片と一体となって形成される保持具。
　【引用発明１３】引用発明３の保持具において、案内部材が、車体等の他のパネルに挿入されるとき一緒にたわむ錨脚係止部を有する保持具。
（刊行物３）　
　刊行物３には、「【００１８】次に、本実施例に係るマットクリップの作用を説明する。フロアカーペット１４を若干持ち上げ、表側から貫通孔５４へ、伸びた状態の脚片１８を差し込む。次にベース板１６をフロアパネル２２に向かって押し付ければ、連結板４２がフロアパネル２２に当たり、脚片１８の薄肉ヒンジ４１、４４及び薄肉部４６が折れ曲がり、薄肉部４６が互いに離間する方向へ移動して、図４に示すように、貫通孔５４の内径より脚片１８が大きく拡がる。【００１９】ここで、連結板４２から立設された突起５２の拡径部５０が、弾性片３８を押し拡げながら嵌入孔４０を貫通し、拡径部５０が弾性復元した弾性片３８の自由端に係止される。【００２０】このように、本実施例に係るマットクリップ１０は、フロアカーペット１４の表側からフロアカーペット１４に容易に取付けることができる。」（第７頁段落【００１８】〜【００２０】を参照）と記載されている。
 　
(３) 対比・判断
【請求項１】に係る発明について
　訂正明細書の請求項１に係る発明（以下、「本件訂正発明１」という。）と引用発明１とを対比すると、それぞれの有する機能に照らして、引用発明１の「取付穴」は本件訂正発明１の「穴」に、以下同様に、「保持具」は「装置」、「フランジ」は「土台板」、「ヒンジ」は「中間部分」、「保持片」は「脚部材」、「頭部」は「接続セクション」、「錨脚係止部」は「プロング」、「案内部材」は「支柱」、「一対の係止爪及び一対の係止肩」は「手段」、「錨脚係止部の錨脚部分」は「手段」に相当するので、両者の一致点及び相違点は以下のとおりである。
＜一致点＞
　第１部材が貫通して伸びる穴を有し、第１部材と第２部材を固定するための装置であって、第１部材の穴の第２部材側に位置する開口部を有する、第１部材の第２部材側に位置する土台板と、各々が頂部、中間部分および底部を有し、前記頂部が前記開口部近くで土台板に取り付けられ第１部材の穴を貫通して上下方向に伸びており、前記中間部分が互いに離れられるように中間部分で折り畳み可能な２つの脚部材と、前記２つの脚部材の底部を接続する接続セクションと、１つのプロングを有し、前記土台板の方向に上下方向に伸びることで、接続セクションを第２部材の方向に押すことによって前記脚部材が折り畳まれるとき、接続セクションが土台板の方向に動かされ、少なくとも一部が土台板の開口部と第１部材の穴を貫通して伸びるようになる支柱と、脚部材を折り畳まれた状態に維持し、前記支柱の前記少なくとも一部を土台板の開口部を貫通して伸びた状態に保持するための手段と、前記脚部材が前記折り畳まれた状態において前記支柱を前記第２部材の穴と取り外しできるようにかみ合わせるための手段とを含む装置。
＜相違点＞
（１−１）本件訂正発明１は、第１部材が「自動車床敷物」、第２部材が「床パネルに敷かれている床マット」であり、「床マットを自動車床敷物に固定する」のに対し、引用発明１は、第１部材がシート状部材３６、第２部材が車体等の他のパネル２３であり、シート状部材３６を車体等の他のパネル２３に固定する点。
（１−２）本件訂正発明１は、上記相違点（１−１）に伴い、（イ）土台板が、「床敷物の穴の上に位置する開口部を有する、床敷物の上部に位置」し、（ロ）頂部が、「床敷物の穴を貫通して下向きに伸び」、（ハ）支柱が、「土台板の方向に上向きに伸びることで、土台板を床パネルの方向に押すことによって脚部材が折り畳まれるとき、土台板が接続セクションの方向に動か」されるのに対し、引用発明１は、（イ）土台板が、シート状部材３６の穴の下に位置する開口部を有する、シート状部材３６の下部に位置し、（ロ）頂部が、シート状部材３６の穴を貫通して上向きに伸び、（ハ）支柱が、土台板の方向に下向きに延びることで、接続セクションを車体等の他のパネル２３の方向に押すことによって脚部材が折り畳まれるとき、接続セクションが土台板の方向に動かされる点。
（１−３）本件訂正発明１は、「床マットの穴を貫通して設置されたアイレット・アッセンブリを有し、支柱をアイレット・アッセンブリと取り外しできるようにかみ合わせるための手段を有している」のに対し、引用発明１は、アイレット・アッセンブリを有しておらず、支柱を車体等の他のパネル２３の穴と取り外しできるようにかみ合わせるための手段を有している点。　
　そこで、上記各相違点について検討する。
１）相違点（１−１）について
　自動車床敷物と床マットを保持具で取付けることは、従来周知の技術手段（例えば、刊行物３の記載を参照）であるから、引用発明１におけるシート状部材３６を車体等の他のパネル２３に固定する装置を、自動車床敷物に床マットを取付けるに際し採用することにより、相違点（１−１）に係る本件訂正発明１の構成とすることは、当業者が容易に想到し得たものと認められる。
２）相違点（１−２）について
　引用発明１の装置を、上記相違点（１−１）で述べた従来周知の技術手段である、自動車床敷物に床マットを取付けるマット留め装置として利用する際に、車両の床パネルに敷き詰められた自動車床敷物の表側から、自動車床敷物の穴を介してマット留め具を取り付けることにより、土台板を、「床敷物の穴の上に位置する開口部を有する、床敷物の上部に位置」する構成とし、頂部を、「床敷物の穴を貫通して下向きに伸び」る構成とし、支柱を、「土台板の方向に上向きに伸びることで、土台板を床パネルの方向に押すことによって脚部材が折り畳まれるとき、土台板が接続セクションの方向に動か」される構成とすることに格別の困難性は認められない。
３）相違点（１−３）について
　アイレット・アッセンブリの構成については、周知の技術手段（例えば、刊行物３の図４のリング３２、図６，７の雌クリップ６２、及び雄クリップ６４を参照）であるから、引用発明１の装置を、上述のように床マットと床敷物との取付部品として適用するに際し、上記周知の技術手段であるアイレット・アッセンブリを設けることにより、本件訂正発明１の相違点（１−３）に係る構成とすることは、当業者が格別の困難性を有することなく容易に想到し得たものである。
　また、本件訂正発明１の効果についても、引用発明１、及び周知の技術手段が奏する以上の格別の作用効果を奏するものとは認められない。
　以上のとおりであるから、本件訂正発明１は、上記刊行物１に記載された発明、及び周知の技術手段に基いて、当業者が容易に発明することができたものと認められることから、特許新案法第２９条第２項の規定により特許を受けることができない。
【請求項２】に係る発明について
　訂正明細書の請求項２に係る発明（以下、「本件訂正発明２」という。）と引用発明２とを対比すると、それぞれの有する機能に照らして、引用発明２の「一対の係止爪」は本件訂正発明２の「環状フランジ」に、以下同様に「一対の係止肩」は「環状溝」に相当するので、【請求項１】に係る発明についてで記載した相違点に加えて、下記の点で相違する。
＜相違点＞
（２−１）脚部材を折り畳まれた状態に維持するためのかみ合い手段が、本件訂正発明２は、「支柱の下部セクション周囲の環状フランジと、開口部の周囲に位置する環状溝」であるのに対し、引用発明２は、支柱の中央部分の周方向両側に位置する一対の係止爪４７と、前記開口部の周囲方向両側に対応して位置する一対の係止肩４８である点。
　相違点（２−１）について検討する。
　２つの部材をかみ合わせてある状態に維持するために、環状フランジと環状溝とをかみ合わせて行う点は、刊行物２に、「爪３６は挿入軸部２４のフランジ２２の開口２８への挿入位置で第３図に示される如くフランジ２２にも係止できるようになっている。」（第２頁第４欄第３５〜３８行）と記載されており、「開口と爪」と「環状溝とフランジ」の相違はあるが、２つのものを連結する点に効果の相違はない以上、当業者が容易に想到し得たものである。
　結局、本件訂正発明２は、上記刊行物１、２に記載された発明、及び周知の技術手段に基いて、当業者が容易に発明することができたものと認められるから、特許法第２９条第２項の規定により特許を受けることができない。
【請求項３】に係る発明について
　訂正明細書の請求項３に係る発明（以下、「本件訂正発明３」という。）と引用発明３とを対比すると、【請求項１】に係る発明についてで記載した相違点に加えて、下記の点で相違する。
＜相違点＞
（３−１）かみ合わせるための手段が、本件訂正発明３は、プロングに設置されたフランジ付き頭部部分を含んでいるのに対し、引用発明３は、プロングの両側に設置された錨脚部分である点。
　相違点（３−１）について検討する。
　プロングに設置されたかみ合わせるための手段の形状を「フランジ付き頭部部分を含むもの」とすることは、設計変更の範囲内の事項（なお、刊行物３の胴巻状の爪部３０を参照）である。
　結局、本件訂正発明３は、上記刊行物１に記載された発明、及び周知の技術手段に基いて、当業者が容易に発明することができたものと認められるから、特許法第２９条第２項の規定により特許を受けることができない。
【請求項４】に係る発明について
　訂正明細書の請求項４に係る発明（以下、「本件訂正発明４」という。）と引用発明３とを対比すると、【請求項３】に係る発明についてで記載した相違点に加えて、下記の点で相違する。
＜相違点＞
（４−１）本件訂正発明４は、「アイレット・アッセンブリが上部と下部とを含み、上部が下部と一緒にかみ合うことのできる装置」であるのに対し、引用発明３は、その点の構成を具備していない点。
　相違点（４−１）について検討する。
　上部と下部とを含み、上部が下部と一緒にかみ合うことのできるアイレット・アッセンブリの構成については、周知の技術手段（例えば、刊行物３の図４のリング３２、図６，７の雌クリップ６２、及び雄クリップ６４を参照）である。
　結局、本件訂正発明４は、上記刊行物１に記載された発明、及び周知の技術手段に基いて、当業者が容易に発明することができたものと認められるから、特許法第２９条第２項の規定により特許を受けることができない。
【請求項５】に係る発明について
　訂正明細書の請求項５に係る発明（以下、「本件訂正発明５」という。）と引用発明３とを対比すると、【請求項４】に係る発明についてで記載した相違点に加えて、下記の点で相違する。
＜相違点＞
（５−１）本件訂正発明５は、「アイレット・アッセンブリの上部が上部フランジに取り付けられた上部環状本体を含み、前記下部が下部フランジに取り付けられた下部環状本体を含み、前記上部と下部とに前記上部と下部とを一緒に固定するための手段をさらに含み、前記上部と下部との環状本体の１つが床マットの穴の中で前記上部と下部の環状本体のもう１つの中にスライドし、前記上部フランジが床マットの上面に対して置かれ、前記下部フランジが床マットの下面に向かって置かれる」のに対し、引用発明３は、その点の構成を具備していない点。
　相違点（５−１）について検討する。
　本件訂正発明５の上記相違点（５−１）に係る構成については、従来周知の技術手段（例えば、刊行物３の図６，７に記載された雌クリップ６２と雄クリップ６４とを一緒に固定する構成等を参照）である。　
　結局、本件訂正発明５は、上記刊行物１に記載された発明、及び周知の技術手段に基いて、当業者が容易に発明することができたものと認められるから、特許法第２９条第２項の規定により特許を受けることができない。
【請求項６】に係る発明について
　訂正明細書の請求項６に係る発明（以下、「本件訂正発明６」という。）と引用発明３とを対比すると、【請求項５】に係る発明についてで記載した相違点に加えて、下記の点で相違する。
＜相違点＞
（６−１）本件訂正発明６は、「上部と下部とを一緒に固定するための手段が、上部と下部との本体の１つに配置された少なくとも１つの水平スロットと、上部と下部との本体のもう１つに配置された少なくとも１つの水平掛け金とを含み、上部と下部とが一緒に押されるとき水平掛け金が水平スロットと結合する」のに対し、引用発明３は、その点の構成を具備していない点。
　相違点（６−１）について検討する。
　水平スロットと水平掛け金による固着技術については、従来周知の技術手段（例えば、刊行物３に記載された雌クリップ６２と雄クリップ６４を参照）に過ぎない。
　結局、本件訂正発明６は、上記刊行物１に記載された発明、及び周知の技術手段に基いて、当業者が容易に発明することができたものと認められるから、特許新案法第２９条第２項の規定により特許を受けることができない。
【請求項７】に係る発明について
　訂正明細書の請求項７に係る発明（以下、「本件訂正発明７」という。）と引用発明１とを対比すると、【請求項１】に係る発明についてで記載した相違点に加えて、下記の点で相違する。
＜相違点＞
（７−１）本件訂正発明７は、「装置がナイロン製である」のに対し、引用発明１は、その点の構成が明示されていない点。
　相違点（７−１）について検討する。
　マット留め装置、クリップ、グロメット等の保持具をナイロン製とすることは、従来周知の技術手段である。　
　結局、本件訂正発明７は、上記刊行物１に記載された発明、及び周知の技術手段に基いて、当業者が容易に発明することができたものと認められるから、特許法第２９条第２項の規定により特許を受けることができない。
【請求項８】に係る発明について
　訂正明細書の請求項８に係る発明（以下、「本件訂正発明８」という。）と引用発明８とを対比すると、それぞれの有する機能に照らして、引用発明８の「ヒンジ」は本件訂正発明８の「蝶番」に相当するので、【請求項１】に係る発明についてで記載した相違点の他に、相違する点は見出せない。　
　なお、訂正明細書の請求項８に係る構成は、従来周知の技術手段（例えば、刊行物１の他に、刊行物２のアーム２６に設けられた薄肉部４０、４２、４４、刊行物３の図３に記載された薄肉ヒンジ４１，４４、及び薄肉部４６の構成等を参照）である。
　結局、本件訂正発明８は、上記刊行物１に記載された発明、及び周知の技術手段に基いて、当業者が容易に発明することができたものと認められるから、特許法第２９条第２項の規定により特許を受けることができない。
【請求項９】に係る発明について
　訂正明細書の請求項９に係る発明（以下、「本件訂正発明９」という。）と引用発明９を対比すると、【請求項８】に係る発明についてで記載した相違点の他に、相違する点は見出せない。
　なお、訂正明細書の請求項９に係る構成は、従来周知の技術手段（例えば、刊行物１の他に、刊行物２のアーム２６に設けられた薄肉部４０、４２、４４、刊行物３の図３に記載された薄肉ヒンジ４１，４４、及び薄肉部４６の構成等を参照）である。
　結局、本件訂正発明９は、上記刊行物１に記載された発明、及び周知の技術手段に基いて、当業者が容易に発明することができたものと認められるから、特許法第２９条第２項の規定により特許を受けることができない。
【請求項１０】に係る発明について
　訂正明細書の請求項１０に係る発明（以下、「本件訂正発明１０」という。）と引用発明２とを対比すると、【請求項２】に係る発明についてで記載した相違点に加えて、下記の点で相違する。
＜相違点＞
（１０−１）本件訂正発明１０は、「支柱が支柱を貫通し環状フランジと交差する水平穴を有し、支柱が土台板の開口部を貫通して挿入されるとき該穴のために支柱とフランジとを圧迫する」のに対し、引用発明２は、そのような構成を具備していない点。
　相違点（１０−１）について検討する。
　本件訂正発明１０の上記相違点（１０−１）に係る構成は、従来周知の技術手段（例えば、刊行物２の２、３、５図等に記載された脚部３２の芯部の穴、刊行物３に記載された係止柱の２条の長孔２８等の構成を参照）である。
　結局、本件訂正発明１０は、上記刊行物１、２に記載された発明、及び周知の技術手段に基いて、当業者が容易に発明することができたものと認められるから、特許法第２９条第２項の規定により特許を受けることができない。
【請求項１１】に係る発明について
　訂正明細書の請求項１１に係る発明（以下、「本件訂正発明１１」という。）と引用発明２とを対比すると、【請求項２】に係る発明についてで記載した相違点に加えて、下記の点で相違する。
＜相違点＞
（１１−１）本件訂正発明１１は、「支柱の環状フランジの下側に位置する張り出しをさらに含み、張り出しによって支柱がある点を超えて穴に挿入されるのが防止される」のに対し、引用発明２は、そのような構成を具備していない点。
　相違点（１１−１）について検討する。
　本件訂正発明１１の上記相違点（１１−１）に係る構成は、従来周知の技術手段（例えば、刊行物２の第１、４図に記載された係止片３４がフランジ２２に当接して脚部３２の挿入量を所定量としている構成等を参照）である。
　結局、本件訂正発明１１は、上記刊行物１、２に記載された発明、及び周知の技術手段に基いて、当業者が容易に発明することができたものと認められるから、特許法第２９条第２項の規定により特許を受けることができない。
【請求項１２】に係る発明について
　訂正明細書の請求項１２に係る発明（以下、「本件訂正発明１２」という。）と引用発明３とを対比すると、【請求項４】に係る発明についてで記載した相違点に加えて、下記の点で相違する。
＜相違点＞
（１２−１）本件訂正発明１２は、「上部が貫通する穴を有する平坦な板を含み、下部が下部フランジに接続された環状本体を含み、環状本体が、装置の外周に配置された、板を固定するための複数のスナップ脚を有する」のに対し、引用発明３は、そのような構成を具備していない点。
　相違点（１２−１）について検討する。
　本件訂正発明１２の上記相違点（１２−１）に係る構成は、従来周知の技術手段（例えば、刊行物４、５の記載を参照）である。
　結局、本件訂正発明１２は、上記刊行物１に記載された発明、及び周知の技術手段に基いて、当業者が容易に発明することができたものと認められるから、特許法第２９条第２項の規定により特許を受けることができない。
【請求項１３】に係る発明について
　訂正明細書の請求項１３に係る発明（以下、「本件訂正発明１３」という。）と引用発明１３とを対比すると、【請求項３】に係る発明についてで記載した相違点に加えて、下記の点で相違する。
＜相違点＞
（１３−１）本件訂正発明１３は、「２つのプロングを有する」のに対し、引用発明１３は、「プロングを有する」点。
　相違点（１３−１）について検討する。
　「２つのプロングを有する」点については、従来周知の技術手段（例えば、刊行物２に記載された脚部３２、刊行物３の図１に記載された係止柱２６の長孔２８の構成等を参照）である。
　結局、本件訂正発明１３は、上記刊行物１に記載された発明、及び周知の技術手段に基いて、当業者が容易に発明することができたものと認められるから、特許法第２９条第２項の規定により特許を受けることができない。
【請求項１４】に係る発明について
　訂正明細書の請求項１４に係る発明（以下、「本件訂正発明１４」という。）と引用発明３とを対比すると、【請求項４】に係る発明についてで記載した相違点に加えて、下記の点で相違する。
＜相違点＞
（１４−１）本件訂正発明１４は、「アイレット・アッセンブリがアイレット・アッセンブリの内周に沿って配置された複数の放射状フィンをさらに含み、前記フィンによって前記支柱を前記アイレット・アッセンブリに挿入し、前記支柱を前記アイレット・アッセンブリに固定する」のに対し、引用発明３は、そのような構成を具備していない点。
　相違点（１４−１）について検討する。
　本件訂正発明１４の上記相違点（１４−１）に係る構成は、従来周知の技術手段（例えば、刊行物３の第４頁段落【０００３】、【０００４】、及び図６に従来技術として記載された、マット止め部材（６８）の脚体（６６）を、雄クリップ（６４）の内周面に形成されたフィンを介して嵌入孔（７０）に嵌入する構成等を参照）である。
　結局、本件訂正発明１４は、上記刊行物１に記載された発明、及び周知の技術手段に基いて、当業者が容易に発明することができたものと認められるから、特許法第２９条第２項の規定により特許を受けることができない。
 　
(４) むすび
　以上のとおり、本件訂正発明は、上記刊行物１、２に記載の発明、及び周知の技術手段に基いて当業者が容易に発明をすることができたものであり、特許法第２９条第２項の規定により特許出願の際独立して特許を受けることができないものであるから、上記訂正は、特許法第１２０条の４第３項において準用する特許法第１２６条第４項の規定に適合しないので、当該訂正は認められない。
 　
III．特許異議申立てについて
　
１．本件発明
　本件特許第２８９６８８７号の請求項１〜１４に係る発明（以下、「本件発明」という。）は、特許明細書の特許請求の範囲の請求項１〜１４に記載された事項により特定される次のとおりのものである。
　【請求項１】床敷物が貫通して伸びる穴を有し、床パネルに敷かれている、床マットを自動車床敷物に固定するための装置であって、床敷物の穴の上に位置する開口部を有する、床敷物の上部に位置する土台板と、各々が頂部、中間部分および底部を有し、前記頂部が前記開口部近くで土台板に取り付けられ床敷物の穴を貫通して下向きに伸びており、前記中間部分が互いに離れられるように中間部分で折り畳み可能な２つの脚部材と、前記２つの脚部材の底部を接続する接続セクションと、少なくとも１つのプロングを有し、前記土台板の方向に上向きに伸びることで、土台板を床パネルの方向に押すことによって前記脚部材が折り畳まれるとき、土台板が接続セクションの方向に動かされ、前記支柱の少なくとも一部が土台板の開口部と敷物の穴を貫通して伸びるようになる支柱と、脚部材を折り畳まれた状態に維持し、前記支柱の前記少なくとも一部を土台板の開口部を貫通して伸びた状態に保持するための手段と、前記支柱を床マットと取り外しできるようにかみ合わせるための手段とを含む装置。
　【請求項２】請求項１に記載の装置において、脚部材を折り畳まれた状態に維持するための手段が、前記支柱の下部セクション周囲の環状フランジと、前記開口部の周囲に位置する環状溝とを含み、脚部材が折り畳まれるとき前記フランジが前記溝とかみ合って脚部材を折り畳まれた状態に維持する装置。
　【請求項３】請求項１に記載の装置において、支柱を床マットと取り外しできるようにかみ合わせるための手段が、前記支柱の少なくとも１つのプロングに設置されたフランジ付き頭部部分と、床マットの穴を貫通して設置されたアイレット・アッセンブリとを含み、前記支柱が前記アイレット・アッセンブリを貫通して挿入され、前記頭部部分が前記アイレット・アッセンブリの上に伸びて支柱をアイレット・アッセンブリに固定する装置。
　【請求項４】請求項３に記載の装置において、アイレット・アッセンブリが上部と下部とを含み、前記上部が下部と一緒にかみ合うことのできる装置。
　【請求項５】請求項４に記載の装置において、アイレット・アッセンブリの上部が上部フランジに取り付けられた上部環状本体を含み、前記下部が下部フランジに取り付けられた下部環状本体を含み、前記上部と下部とに前記上部と下部とを一緒に固定するための手段をさらに含み、前記上部と下部との環状本体の１つが床マットの穴の中で前記上部と下部の環状本体のもう１つの中にスライドし、前記上部フランジが床マットの上面に対して置かれ、前記下部フランジが床マットの下面に向かって置かれる装置。
　【請求項６】請求項５に記載の装置において、前記上部と下部とを一緒に固定するための手段が、上部と下部との本体の１つに配置された少なくとも１つの水平スロットと、上部と下部との本体のもう１つに配置された少なくとも１つの水平掛け金とを含み、上部と下部とが一緒に押されるとき水平掛け金が水平スロットと結合する装置。
　【請求項７】請求項１に記載の装置において、装置がナイロン製である装置。
　【請求項８】請求項１に記載の装置において、脚部材の中間部分と、脚部材と接続セクションとの間と、脚部材と土台板との間とに配置された蝶番をさらに含み、前記蝶番が脚部材の折り畳みを促進する装置。
　【請求項９】請求項８に記載の装置において、蝶番が脚部材と一体となって形成される装置。
　【請求項１０】請求項２に記載の装置において、支柱が支柱を貫通し環状フランジと交差する水平穴を有し、支柱が土台板の開口部を貫通して挿入されるとき該穴のために支柱とフランジとを圧迫することができる装置。
　【請求項１１】請求項２に記載の装置において、支柱の環状フランジの下側に位置する張り出しをさらに含み、張り出しによって支柱がある点を超えて穴に挿入されるのが防止される装置。
　【請求項１２】請求項４に記載の装置において、上部が貫通する穴を有する平坦な板を含み、下部が下部フランジに接続された環状本体を含み、環状本体が、装置の外周に配置された、板を固定するための複数のスナップ脚を有する装置。
　【請求項１３】請求項３に記載の装置において、支柱が、アイレット・アッセンブリに挿入されるとき一緒にたわむ２つのプロングを有する装置。
　【請求項１４】請求項４に記載の装置において、アイレット・アッセンブリがアイレット・アッセンブリの内周に沿って配置された複数の放射状フィンをさらに含み、前記フィンによって前記支柱を前記アイレット・アッセンブリに挿入し、前記支柱を前記アイレット・アッセンブリに固定することができる装置。
　
２．引用刊行物に記載された発明
刊行物１：特開平８−１５９１１８号公報
刊行物２：実公平４−２９１２３号公報
刊行物３：実願平５−６４８３１号（実開平７−３３７３７号）のＣＤ−ＲＯＭ
刊行物４：実願昭５２−１５５５５４号（実開昭５４−８３９０４号）のマイクロフィルム
刊行物５：実公昭６３−５５４８号公報
（刊行物１）
　上記刊行物１には、明細書及び図面の記載からみて、次のとおりの発明（以下、「引用発明１」、「引用発明２」、「引用発明３」、「引用発明８」、「引用発明９」、「引用発明１３」という。）が記載されているものと認められる。
　【引用発明１】シート状部材が貫通して伸びる取付穴を有し、自動車シート状部材を車体等の他のパネルに固定するための保持具であって、シート状部材の取付穴の下に位置する開口部を有する、シート状部材の下部に位置するフランジと、各々が頂部、ヒンジおよび底部を有し、前記頂部が前記開口部近くでフランジに取り付けられシート状部材の取付穴を貫通して上向きに伸びており、前記ヒンジが互いに離れられるようにヒンジで折り畳み可能な２つの保持片と、前記２つの保持片の底部を接続する頭部と、１つの錨脚係止部を有し、前記フランジの方向に下向きに伸びることで、頭部を車体等の他のパネルの方向に押すことによって前記保持片が折り畳まれるとき、頭部がフランジの方向に動かされ、少なくとも一部がフランジの開口部とシート状部材の取付穴を貫通して伸びるようになる案内部材と、保持片を折り畳まれた状態に維持し、前記案内部材の前記少なくとも一部をフランジの開口部を貫通して伸びた状態に保持するための一対の係止爪及び一対の係止肩と、前記案内部材を前記車体等の他のパネルと取り外しできるようにかみ合わせるための錨脚係止部の錨脚部分とを含む保持具。
　【引用発明２】引用発明１の保持具において、保持片を折り畳まれた状態に維持するための一対の係止爪及び一対の係止肩が、前記案内部材の中央部分の周方向両側に位置する一対の係止爪と、前記開口部の周囲方向両側に対応して位置する一対の係止肩とを含み、保持片が折り畳まれるとき前記一対の係止爪が前記一対の係止肩とかみ合って保持片を折り畳まれた状態に維持する保持具。
　【引用発明３】引用発明１の保持具において、案内部材を前記車体等の他のパネルと取り外しできるようにかみ合わせるための錨脚係止部が、前記案内部材の錨脚係止部の両側に設置された錨脚部分を含み、前記案内部材が前記車体等の他のパネルの取付穴を貫通して挿入され、前記錨脚係止部の錨脚部分が前記車体等の他のパネルの下に伸びて案内部材を車体等の他のパネルに固定する保持具。
　【引用発明８】引用発明１の保持具において、保持片のヒンジと、保持片と頭部との間と、保持片とフランジとの間とに配置されたヒンジをさらに含み、前記ヒンジが保持片の折り畳みを促進する保持具。
　【引用発明９】引用発明８の保持具において、ヒンジが保持片と一体となって形成される保持具。
　【引用発明１３】引用発明３の保持具において、案内部材が、車体等の他のパネルに挿入されるとき一緒にたわむ錨脚係止部を有する装置。
（刊行物３）
　刊行物３には、「【００１８】次に、本実施例に係るマットクリップの作用を説明する。フロアカーペット１４を若干持ち上げ、表側から貫通孔５４へ、伸びた状態の脚片１８を差し込む。次にベース板１６をフロアパネル２２に向かって押し付ければ、連結板４２がフロアパネル２２に当たり、脚片１８の薄肉ヒンジ４１、４４及び薄肉部４６が折れ曲がり、薄肉部４６が互いに離間する方向へ移動して、図４に示すように、貫通孔５４の内径より脚片１８が大きく拡がる。【００１９】ここで、連結板４２から立設された突起５２の拡径部５０が、弾性片３８を押し拡げながら嵌入孔４０を貫通し、拡径部５０が弾性復元した弾性片３８の自由端に係止される。【００２０】このように、本実施例に係るマットクリップ１０は、フロアカーペット１４の表側からフロアカーペット１４に容易に取付けることができる。」（第７頁段落【００１８】〜【００２０】を参照）と記載されている。
 　
３．対比・判断
【請求項１】に係る発明について
　特許明細書の請求項１に係る発明（以下、「本件発明１」という。）と引用発明１とを対比すると、それぞれの有する機能に照らして、引用発明１の「取付穴」は本件発明１の「穴」に、以下同様に、「保持具」は「装置」、「フランジ」は「土台板」、「ヒンジ」は「中間部分」、「保持片」は「脚部材」、「頭部」は「接続セクション」、「錨脚係止部」は「プロング」、「案内部材」は「支柱」、「一対の係止爪及び一対の係止肩」は「手段」、「錨脚係止部の錨脚部分」は「手段」に相当するので、両者の一致点及び相違点は以下のとおりである。
＜一致点＞
　第１部材が貫通して伸びる穴を有し、第１部材と第２部材を固定するための装置であって、第１部材の穴の第２部材側に位置する開口部を有する、第１部材の第２部材側に位置する土台板と、各々が頂部、中間部分および底部を有し、前記頂部が前記開口部近くで土台板に取り付けられ第１部材の穴を貫通して上下方向に伸びており、前記中間部分が互いに離れられるように中間部分で折り畳み可能な２つの脚部材と、前記２つの脚部材の底部を接続する接続セクションと、１つのプロングを有し、前記土台板の方向に上下方向に伸びることで、接続セクションを第２部材の方向に押すことによって前記脚部材が折り畳まれるとき、接続セクションが土台板の方向に動かされ、少なくとも一部が土台板の開口部と第１部材の穴を貫通して伸びるようになる支柱と、脚部材を折り畳まれた状態に維持し、前記支柱の前記少なくとも一部を土台板の開口部を貫通して伸びた状態に保持するための手段と、前記支柱を前記第２部材の穴と取り外しできるようにかみ合わせるための手段とを含む装置。
＜相違点＞
（１−１）本件発明１は、第１部材が「自動車床敷物」、第２部材が「床パネルに敷かれている床マット」であり、「床マットを自動車床敷物に固定する」のに対し、引用発明１は、第１部材がシート状部材３６、第２部材が車体等の他のパネル２３であり、シート状部材３６を車体等の他のパネル２３に固定する点。
（１−２）本件発明１は、上記相違点（１−１）に伴い、（イ）土台板が、「床敷物の穴の上に位置する開口部を有する、床敷物の上部に位置」し、（ロ）頂部が、「床敷物の穴を貫通して下向きに伸び」、（ハ）支柱が、「土台板の方向に上向きに伸びることで、土台板を床パネルの方向に押すことによって脚部材が折り畳まれるとき、土台板が接続セクションの方向に動か」されるのに対し、引用発明１は、（イ）土台板が、シート状部材３６の穴の下に位置する開口部を有する、シート状部材３６の下部に位置し、（ロ）頂部が、シート状部材３６の穴を貫通して上向きに伸び、（ハ）支柱が、土台板の方向に下向きに延びることで、接続セクションを車体等の他のパネル２３の方向に押すことによって脚部材が折り畳まれるとき、接続セクションが土台板の方向に動かされる点。
　そこで、上記各相違点について検討する。
１）相違点（１−１）について
　自動車床敷物と床マットを保持具で取付けることは、従来周知の技術手段（例えば、刊行物３の記載を参照）であるから、引用発明１におけるシート状部材３６を車体等の他のパネル２３に固定する装置を、自動車床敷物に床マットを取付けるに際し採用することにより、相違点（１−１）に係る本件発明１の構成とすることは、当業者が容易に想到し得たものと認められる。
２）相違点（１−２）について
　引用発明１の装置を、上記相違点（１−１）で述べた従来周知の技術手段である、自動車床敷物に床マットを取付けるマット留め装置として利用する際に、車両の床パネルに敷き詰められた自動車床敷物の表側から、自動車床敷物の穴を介してマット留め具を取り付けることにより、土台板を、「床敷物の穴の上に位置する開口部を有する、床敷物の上部に位置」する構成とし、頂部を、「床敷物の穴を貫通して下向きに伸び」る構成とし、支柱を、「土台板の方向に上向きに伸びることで、土台板を床パネルの方向に押すことによって脚部材が折り畳まれるとき、土台板が接続セクションの方向に動か」される構成とすることに格別の困難性は認められない。
　また、本件発明１の効果についても、引用発明１、及び周知の技術手段が奏する以上の格別の作用効果を奏するものとは認められない。
　以上のとおりであるから、本件発明１は、上記刊行物１に記載された発明、及び周知の技術手段に基いて、当業者が容易に発明することができたものと認められることから、特許新案法第２９条第２項の規定により特許を受けることができない。
【請求項２】に係る発明について
　明細書の請求項２に係る発明（以下、「本件発明２」という。）と引用発明２とを対比すると、それぞれの機能に照らして、引用発明２の「一対の係止爪」は本件発明の「環状フランジ」に、以下同様に、「一対の係止肩」は「環状溝」に相当するので、【請求項１】に係る発明についてで記載した相違点に加えて、下記の点で相違する。
＜相違点＞
（２−１）脚部材を折り畳まれた状態に維持するためのかみ合い手段が、本件発明２は、「支柱の下部セクション周囲の環状フランジと、開口部の周囲に位置する環状溝」であるのに対し、引用発明２は、支柱の中央部分の周方向両側に位置する一対の係止爪４７と、前記開口部の周囲方向両側に対応して位置する一対の係止肩４８である点。
　相違点（２−１）について検討する。
　２つの部材をかみ合わせてある状態に維持するために、環状フランジと環状溝とをかみ合わせて行う点は、刊行物２に、「爪３６は挿入軸部２４のフランジ２２の開口２８への挿入位置で第３図に示される如くフランジ２２にも係止できるようになっている。」（第２頁第４欄第３５−３８行）と記載されており、「開口と爪」と「環状溝とフランジ」の相違はあるが、２つのものを連結する点に効果の相違はない以上、当業者が容易に想到し得たものである。
　結局、本件発明２は、上記刊行物１、２に記載された発明、及び周知の技術手段に基いて、当業者が容易に発明することができたものと認められるから、特許法第２９条第２項の規定により特許を受けることができない。
【請求項３】に係る発明について
　明細書の請求項３に係る発明（以下、「本件発明３」という。）と引用発明３とを対比すると、【請求項１】に係る発明についてで記載した相違点に加えて、下記の点で相違する。
＜相違点＞
（３−１）かみ合わせるための手段が、本件発明３は、プロングに設置されたフランジ付き頭部部分を含んでいるのに対し、引用発明３は、プロングの両側に設置された錨脚部分である点。
（３−２）本件発明３は、「床マットの穴を貫通して設置されたアイレット・アッセンブリを有し、支柱をアイレット・アッセンブリと取り外しできるようにかみ合わせるための手段を有している」のに対し、引用発明３は、アイレット・アッセンブリを有しておらず、支柱を床マットの穴と取り外しできるようにかみ合わせるための手段を有している点。　
　上記相違点について検討する。
１）相違点（３−１）について
　プロングに設置されたかみ合わせるための手段の形状を「フランジ付き頭部部分を含むもの」とすることは、設計変更の範囲内の事項（なお、刊行物３の胴巻状の爪部３０を参照）である。
２）相違点（３−２）について
　アイレット・アッセンブリの構成については、周知の技術手段（例えば、刊行物３の図４のリング３２、図６，７の雌クリップ６２、及び雄クリップ６４を参照）であり、引用発明３の床マットの穴縁を保護するために、周知のアイレット・アッセンブリを設けることにより、本件発明３の相違点（３−２）に係る構成とすることは、当業者が格別の困難性を有することなく容易に想到し得たものである。
　結局、本件発明３は、上記刊行物１に記載された発明、及び周知の技術手段に基いて、当業者が容易に発明することができたものと認められるから、特許法第２９条第２項の規定により特許を受けることができない。
【請求項４】に係る発明について
　本件特許の請求項４に係る発明（以下、「本件発明４」という。）と引用発明３とを対比すると、【請求項３】に係る発明についてで記載した相違点に加えて、下記の点で相違する。
＜相違点＞
（４−１）本件発明４は、「アイレット・アッセンブリが上部と下部とを含み、上部が下部と一緒にかみ合うことのできる装置」であるのに対し、引用発明３は、その点の構成を具備していない点。
　相違点（４−１）について検討する。
　上部と下部とを含み、上部が下部と一緒にかみ合うことのできるアイレット・アッセンブリの構成については、周知の技術手段（例えば、刊行物３の図４のリング３２、図６，７の雌クリップ６２、及び雄クリップ６４を参照）である。
　結局、本件発明４は、上記刊行物１に記載された発明、及び周知の技術手段に基いて、当業者が容易に発明することができたものと認められるから、特許法第２９条第２項の規定により特許を受けることができない。
【請求項５】に係る発明について
　本件特許の請求項５に係る発明（以下、「本件発明５」という。）と引用発明３とを対比すると、【請求項４】に係る発明についてで記載した相違点に加えて、下記の点で相違する。
＜相違点＞
（５−１）本件発明５は、「アイレット・アッセンブリの上部が上部フランジに取り付けられた上部環状本体を含み、前記下部が下部フランジに取り付けられた下部環状本体を含み、前記上部と下部とに前記上部と下部とを一緒に固定するための手段をさらに含み、前記上部と下部との環状本体の１つが床マットの穴の中で前記上部と下部の環状本体のもう１つの中にスライドし、前記上部フランジが床マットの上面に対して置かれ、前記下部フランジが床マットの下面に向かって置かれる」のに対し、引用発明３は、その点の構成を具備していない点。
　相違点（５−１）について検討する。
　本件発明５の上記相違点（５−１）に係る構成については、従来周知の技術手段（例えば、刊行物３の図６，７に記載された雌クリップ６２と雄クリップ６４とを一緒に固定する構成等を参照）である。　
　結局、本件発明５は、上記刊行物１に記載された発明、及び周知の技術手段に基いて、当業者が容易に発明することができたものと認められるから、特許法第２９条第２項の規定により特許を受けることができない。
【請求項６】に係る発明について
　本件特許の請求項６に係る発明（以下、「本件発明６」という。）と引用発明３とを対比すると、【請求項５】に係る発明についてで記載した相違点に加えて、下記の点で相違する。
＜相違点＞
（６−１）本件発明６は、「上部と下部とを一緒に固定するための手段が、上部と下部との本体の１つに配置された少なくとも１つの水平スロットと、上部と下部との本体のもう１つに配置された少なくとも１つの水平掛け金とを含み、上部と下部とが一緒に押されるとき水平掛け金が水平スロットと結合する」のに対し、引用発明３は、その点の構成を具備していない点。
　相違点（６−１）について検討する。
　水平スロットと水平掛け金による固着技術については、従来周知の技術手段（例えば、刊行物３に記載された雌クリップ６２と雄クリップ６４を参照）に過ぎない。
　結局、本件発明６は、上記刊行物１に記載された発明、及び周知の技術手段に基いて、当業者が容易に発明することができたものと認められるから、特許法第２９条第２項の規定により特許を受けることができない。
【請求項７】に係る発明について
　本件特許の請求項７に係る発明（以下、「本件発明７」という。）と引用発明１とを対比すると、【請求項１】に係る発明についてで記載した相違点に加えて、下記の点で相違する。
＜相違点＞
（７−１）本件発明７は、「装置がナイロン製である」のに対し、引用発明１は、その点の構成が明示されていない点。
　相違点（７−１）について検討する。
　マット留め装置、クリップ、グロメット等の保持具をナイロン製とすることは、従来周知の技術手段である。　
　結局、本件発明７は、上記刊行物１に記載された発明、及び周知の技術手段に基いて、当業者が容易に発明することができたものと認められるから、特許法第２９条第２項の規定により特許を受けることができない。
【請求項８】に係る発明について
　本件特許の請求項８に係る発明（以下、「本件発明８」という。）と引用発明８とを対比すると、それぞれの有する機能に照らして、引用発明８の「ヒンジ」は本件発明の「蝶番」に相当するので、【請求項１】に係る発明についてで記載した相違点の他に、相違する点は見出せない。　
　なお、本件特許の請求項８に係る構成は、従来周知の技術手段（例えば、刊行物１の他に、刊行物２のアーム２６に設けられた薄肉部４０、４２、４４、刊行物３の図３に記載された薄肉ヒンジ４１，４４、及び薄肉部４６の構成等を参照）である。
　結局、本件発明８は、上記刊行物１に記載された発明、及び周知の技術手段に基いて、当業者が容易に発明することができたものと認められるから、特許法第２９条第２項の規定により特許を受けることができない。
【請求項９】に係る発明について
　本件特許の請求項９に係る発明（以下、「本件発明９」という。）と引用発明９を対比すると、【請求項８】に係る発明についてで記載した相違点の他に、相違する点は見出せない。
　なお、本件特許の請求項９に係る構成は、従来周知の技術手段（例えば、刊行物１の他に、刊行物２のアーム２６に設けられた薄肉部４０、４２、４４、刊行物３の図３に記載された薄肉ヒンジ４１，４４、及び薄肉部４６の構成等を参照）である。
　結局、本件発明９は、上記刊行物１に記載された発明、及び周知の技術手段に基いて、当業者が容易に発明することができたものと認められるから、特許法第２９条第２項の規定により特許を受けることができない。
【請求項１０】に係る発明について
　本件特許の請求項１０に係る発明（以下、「本件発明１０」という。）と引用発明２とを対比すると、【請求項２】に係る発明についてで記載した相違点に加えて、下記の点で相違する。
＜相違点＞
（１０−１）本件発明１０は、「支柱が支柱を貫通し環状フランジと交差する水平穴を有し、支柱が土台板の開口部を貫通して挿入されるとき該穴のために支柱とフランジとを圧迫する」のに対し、引用発明２は、そのような構成を具備していない点。
　相違点（１０−１）について検討する。
　本件発明１０の上記相違点（１０−１）に係る構成は、従来周知の技術手段（例えば、刊行物２の２、３、５図等に記載された脚部３２の芯部の穴、刊行物３に記載された係止柱の２条の長孔２８等の構成を参照）である。
　結局、本件発明１０は、上記刊行物１、２に記載された発明、及び周知の技術手段に基いて、当業者が容易に発明することができたものと認められるから、特許法第２９条第２項の規定により特許を受けることができない。
【請求項１１】に係る発明について
　本件特許の請求項１１に係る発明（以下、「本件発明１１」という。）と引用発明２とを対比すると、【請求項２】に係る発明についてで記載した相違点に加えて、下記の点で相違する。
＜相違点＞
（１１−１）本件発明１１は、「支柱の環状フランジの下側に位置する張り出しをさらに含み、張り出しによって支柱がある点を超えて穴に挿入されるのが防止される」のに対し、引用発明２は、そのような構成を具備していない点。
　相違点（１１−１）について検討する。
　本件発明１１の上記相違点（１１−１）に係る構成は、従来周知の技術手段（例えば、刊行物２の第１、４図に記載された係止片３４がフランジ２２に当接して脚部３２の挿入量を所定量としている構成等を参照）である。
　結局、本件発明１１は、上記刊行物１、２に記載された発明、及び周知の技術手段に基いて、当業者が容易に発明することができたものと認められるから、特許法第２９条第２項の規定により特許を受けることができない。
【請求項１２】に係る発明について
　本件特許の請求項１２に係る発明（以下、「本件発明１２」という。）と引用発明３とを対比すると、【請求項４】に係る発明についてで記載した相違点に加えて、下記の点で相違する。
＜相違点＞
（１２−１）本件発明１２は、「上部が貫通する穴を有する平坦な板を含み、下部が下部フランジに接続された環状本体を含み、環状本体が、装置の外周に配置された、板を固定するための複数のスナップ脚を有する」のに対し、引用発明３は、そのような構成を具備していない点。
　相違点（１２−１）について検討する。
　本件発明１２の上記相違点（１２−１）に係る構成は、従来周知の技術手段（例えば、刊行物４、５の記載を参照）である。
　結局、本件発明１２は、上記刊行物１に記載された発明、及び周知の技術手段に基いて、当業者が容易に発明することができたものと認められるから、特許法第２９条第２項の規定により特許を受けることができない。
【請求項１３】に係る発明について
　本件特許の請求項１３に係る発明（以下、「本件発明１３」という。）と引用発明１３とを対比すると、【請求項３】に係る発明についてで記載した相違点に加えて、下記の点で相違する。
＜相違点＞
（１３−１）本件発明１３は、「２つのプロングを有する」のに対し、引用発明１３は、「プロングを有する」点。
　相違点（１３−１）について検討する。
　「２つのプロングを有する」点については、従来周知の技術手段（例えば、刊行物２に記載された脚部３２、刊行物３の図１に記載された係止柱２６の長孔２８の構成等を参照）である。
　結局、本件発明１３は、上記刊行物１に記載された発明、及び周知の技術手段に基いて、当業者が容易に発明することができたものと認められるから、特許法第２９条第２項の規定により特許を受けることができない。
【請求項１４】に係る発明について
　本件特許の請求項１４に係る発明（以下、「本件発明１４」という。）と引用発明３とを対比すると、【請求項４】に係る発明についてで記載した相違点に加えて、下記の点で相違する。
＜相違点＞
（１４−１）本件発明１４は、「アイレット・アッセンブリがアイレット・アッセンブリの内周に沿って配置された複数の放射状フィンをさらに含み、前記フィンによって前記支柱を前記アイレット・アッセンブリに挿入し、前記支柱を前記アイレット・アッセンブリに固定する」のに対し、引用発明３は、そのような構成を具備していない点。
　相違点（１４−１）について検討する。
　本件発明１４の上記相違点（１４−１）に係る構成は、従来周知の技術手段（例えば、刊行物３の第４頁段落【０００３】、【０００４】、及び図６に従来技術として記載された、マット止め部材（６８）の脚体（６６）を、雄クリップ（６４）の内周面に形成されたフィンを介して嵌入孔（７０）に嵌入する構成等を参照）である。
　結局、本件発明１４は、上記刊行物１に記載された発明、及び周知の技術手段に基いて、当業者が容易に発明することができたものと認められるから、特許法第２９条第２項の規定により特許を受けることができない。
　
４．むすび 　
　以上のとおりであるから、本件発明は、上記刊行物に記載された発明に基いて、当業者が容易に発明をすることができたものであるから、本件発明についての特許は特許法第２９条第２項の規定に違反してされたものである。
　したがって、本件特許の請求項１〜１４に係る発明についての特許は、特許法第１１３条第２号に該当し、取り消されるべきものである。
　よって、結論のとおり決定する。
【異議決定日】
平成１３年３月８日（２００１．３．８）